(57)【要約】【課題】複数の機能を持つ面構造を種々の形状に自由に組み立てることができる面形成ブロックを提供する。【解決手段】本発明の一態様に係る面形成ブロックは、枠状の側壁部と、前記側壁部の両端に設けられた一対の透明板と、により、内部に空間が形成される面形成ブロックであって、前記面形成ブロック内に設けられ、電子制御されるデバイスと、前記側壁部に設けられ、他の面形成ブロックの側壁部と連結可能に構成された連結部と、前記側壁部に設けられ、前記デバイスおよび前記他の面形成ブロックの端子部と電気的に接続可能な、複数の端子部と、を有する。【選択図】図３
2019148072.tif 000002
【特許請求の範囲】
【請求項１】
枠状の側壁部と、前記側壁部の両端に設けられた一対の透明板と、により、内部に空間が形成される面形成ブロックであって、
前記面形成ブロック内に設けられ、電子制御されるデバイスと、
前記側壁部に設けられ、他の面形成ブロックの側壁部と連結可能に構成された連結部と、
前記側壁部に設けられ、前記デバイスおよび前記他の面形成ブロックの端子部と電気的に接続可能な、複数の端子部と、
を有する、
ことを特徴とする面形成ブロック。
【請求項２】
前記連結部が、前記他の面形成ブロックの側壁部と嵌合する、請求項１に記載の面形成ブロック。
【請求項３】
前記側壁部の内側には、前記側壁部に対して略垂直方向に伸縮し、前記端子部を前記側壁部の外周面側に向かって押圧する弾性部材が設けられる、請求項１または２に記載の面形成ブロック。
【請求項４】
前記側壁部内で複数の前記端子部を接続する導通部を有する、請求項１〜３の何れか一項に記載の面形成ブロック。
【請求項５】
前記側壁部の内部に設けられ、前記デバイスを制御する制御部を有する、請求項１〜４の何れか一項に記載の面形成ブロック。
【請求項６】
前記デバイスは、調光フィルム、懸濁粒子デバイスフィルム、画像表示装置、太陽電池パネル、薄膜電池、人感センサ、圧力センサ、導光板ユニットおよびエレクトレットフィルムユニットからなる群から選択される少なくとも１つを有する、請求項５に記載の面形成ブロック。
【請求項７】
請求項１〜６の何れか一項に記載の面形成ブロックの側壁部同士を前記連結部で連結して面状に構成することにより形成される面構造。
【請求項８】
枠状の側壁部と、前記側壁部の両端に設けられた一対の透明板と、により、内部に空間が形成される導通ブロックをさらに有し、
前記導通ブロックは、
前記側壁部に設けられ、前記面形成ブロックまたは他の前記導通ブロックの側壁部と連結可能に構成された連結部と、
前記側壁部に設けられ、前記面形成ブロックおよび他の前記導通ブロックの端子部と電気的に接続可能な、複数の端子部と、
前記側壁部の内部に設けられ、複数の前記端子部を接続する導通部と、
を備える、請求項７に記載の面構造。
【請求項９】
枠状の側壁部と、
前記側壁部の両端に設けられた一対の透明板と、
前記面形成ブロック内に設けられ、電子制御されるデバイスと、
前記側壁部に設けられ、他の面形成ブロックの側壁部と連結可能に構成された連結部と、
前記側壁部に設けられ、前記デバイスおよび前記他の面形成ブロックの端子部と電気的に接続可能な、複数の端子部と、
を有する、面形成ブロックを用いて、
前記他の面形成ブロックの側壁部と前記連結部で連結して、面状に構成することにより、面構造を形成する面構造の製造方法。
【発明の詳細な説明】
【技術分野】
【０００１】
本発明は、面形成ブロック、面構造および面構造の製造方法に関する。
【背景技術】
【０００２】
従来、窓ガラスやパーティションなどのように透明なガラス成形体は、断熱性、遮音性および透光性などに優れることから、建物の外装材または内装材として広く使用されている（例えば、特許文献１および２参照）。
【０００３】
例えば、特許文献１では、相対する一対の透光面を有する中空箱型形状のガラス成形体からなり、少なくとも一方の透光面にフォトクロミック膜が形成されている建築用ガラスブロックが提案されている。
【０００４】
特許文献２では、空気の空洞を内部に有し、空洞に、ライティング、熱センサまたは光センサなどのデバイスを収容している、構造用のガラスブロックが提案されている。
【先行技術文献】
【特許文献】
【０００５】
【特許文献１】特開２００２−３４９０４５号公報
【特許文献２】特表２００５−５３４６１２号公報
【発明の概要】
【発明が解決しようとする課題】
【０００６】
しかしながら、特許文献１の建築用ガラスブロックは、フォトクロミック膜による効果のように一つの機能しか発揮できない。また、特許文献２の構造用のガラスブロックでは、それぞれの、構造用のガラスブロックを、構造用のガラスブロック同士の電気的接続を維持しながら着脱可能な状態で組み立て可能とすることについては考慮していない。
【０００７】
ガラス成形体は、使用者の様々な要求に応じて、様々な分野で建物の外装材または内装材として、複数の機能を持ちつつ、種々の形状に自由に組み立てられるものが求められている。
【０００８】
本発明の一態様は、複数の機能を持つ面構造を種々の形状に自由に組み立てることができる面形成ブロックを提供することを目的とする。
【課題を解決するための手段】
【０００９】
本発明の一態様に係る面形成ブロックは、枠状の側壁部と、前記側壁部の両端に設けられた一対の透明板と、により、内部に空間が形成される面形成ブロックであって、前記面形成ブロック内に設けられ、電子制御されるデバイスと、前記側壁部に設けられ、他の面形成ブロックの側壁部と連結可能に構成された連結部と、前記側壁部に設けられ、前記デバイスおよび前記他の面形成ブロックの端子部と電気的に接続可能な、複数の端子部と、を有する。
【００１０】
本発明の他の一態様に係る面構造は、上記の一態様に係る面形成ブロックの側壁部同士を前記連結部で連結して面状に構成することにより形成される。
【００１１】
本発明の他の一態様に係る面構造の製造方法は、枠状の側壁部と、前記側壁部の両端に設けられた一対の透明板と、前記面形成ブロック内に設けられ、電子制御されるデバイスと、前記側壁部に設けられ、他の面形成ブロックの側壁部と連結可能に構成された連結部と、前記側壁部に設けられ、前記デバイスおよび前記他の面形成ブロックの端子部と電気的に接続可能な、複数の端子部と、を有する、面形成ブロックを用いて、前記他の面形成ブロックの側壁部と前記連結部で連結して、面状に構成することにより、面構造を形成する。
【発明の効果】
【００１２】
本発明の一態様に係る面形成ブロックは、複数の機能を持つ面構造を種々の形状に自由に組み立てることができる。
【図面の簡単な説明】
【００１３】
【図１】複数の面形成ブロックが連結させている状態を示す斜視図である。
【図２】複数の面形成ブロックが分離されている状態を示す斜視図である。
【図３】面形成ブロックの斜視図である。
【図４】図３のI−I断面図である。
【図５】図４のII−II断面図である。
【図６】面形成ブロックを他の面形成ブロックと嵌合させる状態を説明する図である。
【図７】制御装置の構成要素を機能ブロックで示す図である。
【図８】面形成ブロックの一形態を図３のI−I断面と同じ位置から＋Ｙ軸方向に向かって見た時の一例を示す断面図である。
【図９】面形成ブロックの他の一形態を図３のI−I断面と同じ位置から＋Ｙ軸方向に向かって見た時の一例を示す断面図である。
【図１０】面形成ブロックの他の一形態を図３のI−I断面と同じ位置から＋Ｙ軸方向に向かって見た時の一例を示す断面図である。
【図１１】面形成ブロックの他の一形態を図３のI−I断面と同じ位置から＋Ｙ軸方向に向かって見た時の一例を示す断面図である。
【図１２】面形成ブロックの他の一形態を図３のI−I断面と同じ位置から＋Ｙ軸方向に向かって見た時の一例を示す断面図である。
【図１３】面形成ブロックの他の一形態を図３のI−I断面と同じ位置から＋Ｙ軸方向に向かって見た時の一例を示す断面図である。
【図１４】面形成ブロックの他の一形態を図３のI−I断面と同じ位置から＋Ｙ軸方向に向かって見た時の一例を示す断面図である。
【図１５】面形成ブロックの他の一形態を図３のI−I断面と同じ位置から＋Ｙ軸方向に向かって見た時の一例を示す断面図である。
【図１６】面形成ブロックの他の一形態を図３のI−I断面と同じ位置から＋Ｙ軸方向に向かって見た時の一例を示す断面図である。
【図１７】側壁部の形態の他の一例を示す平面図である。
【図１８】側壁部の形態の他の一例を示す平面図である。
【図１９】側壁部の形態の他の一例を示す平面図である。
【図２０】側壁部の形態の他の一例を示す平面図である。
【図２１】側壁部の正面の部分拡大図である。
【図２２】面形成ブロックの他の一例を示す平面図である。
【図２３】面形成ブロックの他の一例を示す平面図である。
【図２４】面形成ブロックの他の一例を示す平面図である。
【図２５】面形成ブロックの他の一例を示す平面図である。
【図２６】面形成ブロックを他の面形成ブロックと連結させる他の一例を説明する図である。
【図２７】面形成ブロックを他の面形成ブロックと連結させる他の一例を説明する図である。
【図２８】面構造の一例を示す正面図である。
【図２９】面構造の他の一例を示す正面図である。
【図３０】面構造の他の一例を示す正面図である。
【図３１】面構造をパーティションとして用いた一例を示す斜視図である。
【図３２】面構造をテーブルのテーブル板として用いた一例を示す斜視図である。
【図３３】面構造をドアの一部として用いた一例を示す斜視図である。
【図３４】面構造をガラスブロックとして用いた一例を示す正面図である。
【発明を実施するための形態】
【００１４】
以下、本発明の実施の形態について、詳細に説明する。なお、理解の容易のため、図面における各部材の縮尺は実際とは異なる場合がある。本明細書では、３軸方向（Ｘ軸方向、Ｙ軸方向、Ｚ軸方向）の３次元直交座標系を用い、透明基板の幅方向をＸ方向とし、厚さ方向をＹ方向とし、高さ方向をＺ方向とする。
【００１５】
＜面形成ブロック＞
一実施形態に係る面形成ブロックについて説明する。図１に示すように、面形成ブロック１０は、複数組み合わせて面構造を形成するために使用されるものである。図２には、図１に示す面構造をそれぞれの面形成ブロック１０に分離した状態を示す。面構造の詳細については後述する。
【００１６】
図３に示すように、面形成ブロック１０は、側壁部２０、透明板３０、連結部４０、端子部５０、制御装置６０（図５参照）およびデバイス（図８〜図１６参照）を有する。デバイスの具体例については、後述する図８〜図１６で説明する。以下、面形成ブロック１０を構成する各部材について説明する。
【００１７】
［側壁部］
図３において、側壁部２０は、枠状に形成されている。側壁部２０は、平面視において矩形の枠状に形成されている。側壁部２０の内周面２０ａおよび外周面２０ｂは、それぞれ、四つの面で構成されている。なお、本実施形態では、矩形とは、長方形や正方形の他、長方形や正方形の角に丸みを形成した形を含む。
【００１８】
側壁部２０は、透明でもよいし、不透明でもよい。なお、本実施形態において、透明とは、側壁部２０の内側を外側から視認できる程度に可視光（波長３８０〜７８０ｎｍの光）に対する光透過性を有することをいう。光透過性は、可視光に対する光透過率が高いことが好ましく、例えば、可視光に対する光透過率が６０％以上であることが好ましく、７０％以上であることがより好ましく、８０％以上であることがさらに好ましい。側壁部２０が透明である場合、側壁部２０は、無色でもよいし、有色でもよい。
【００１９】
側壁部２０は、プラスチックで形成されている。プラスチックとして、例えば、熱硬化性樹脂などを用いることができる。
【００２０】
側壁部２０は、その平面視における外周の大きさが、例えば、一辺を２０ｃｍ〜５０ｃｍ程度のものを用いることができる。
【００２１】
図４に、図３のI−I断面図を示す。図４に示すように、側壁部２０は、側壁部２０の内周面２０ａの高さ方向（Ｚ軸方向）の両端付近に、側壁部２０の周方向に沿って透明板３０の端部が収容される溝部２１を有する。溝部２１の高さや長さは、側壁部２０や透明板３０の大きさなどに応じて適宜設計される。
【００２２】
溝部２１には、例えば、接着剤または弾性シールなど透明板３０の外縁を固定する固定部材を設けることができる。接着剤や弾性シールを形成する材料として、例えば、シリコーン系樹脂、ポリサルファイド系樹脂、アクリル系樹脂など公知の樹脂を用いることができる。また、透明板３０は、固定部材を用いず、溝部２１に挟み込んで挟持された状態で保持させてもよい。
【００２３】
［透明板］
図３および図４において、透明板３０は、側壁部２０の内周面２０ａで囲まれた領域に空間Ｓが形成されるように、側壁部２０の両端（図４の上端および下端）に一対向き合うように設けられている。透明板３０は、側壁部２０の平面視における形状に対応するように、平面視において矩形状に形成されている。透明板３０は、その外縁が側壁部２０の溝部２１に接着剤または弾性シールなどの固定部材で固定された状態で保持されている。
【００２４】
透明板３０は、１枚の単板で形成しており、また、透明板３０は、主面に対して直交する方向に２枚以上積層して組み合わせることもできる。
【００２５】
透明板３０の平面視における大きさは、透明板３０の端部が側壁部２０の溝部２１に収容される大きさであればよい。
【００２６】
透明板３０の厚さは、空間Ｓを外部から保護しつつ、透明性を維持できればよく、面形成ブロック１０の用途に応じて設定される。一対の透明板３０は、同じ厚さでもよいし、異なっていてもよい。
【００２７】
透明板３０は、ガラスや樹脂などの光透過性を有する材料で形成されている。なお、光透過性とは、上述の通り、可視光に対する光透過率をいい、光透過率は面形成ブロック１０の使用目的に応じて適宜設定できる。
【００２８】
透明板３０がガラスで形成される場合、ガラスの材質としては、例えば、無アルカリガラス、石英ガラス、ソーダライムガラス、ホウケイ酸ガラス、またはアルミノシリケートガラスなどを用いることができる。一対の透明板３０の材料は、同じでもよいし、異なっていてもよい。透明板３０が、２枚以上のガラス板を組み合わせて構成される場合、透明板３０は、合わせガラスでもよいし、複層ガラスでもよい。
【００２９】
透明板３０がガラスで形成される場合、透明板３０は、フロート法、フュージョン法、リドロー法、プレス成形法、または引き上げ法などを用いて製造することができる。中でも、生産性およびコストに優れている点から、フロート法を用いることが好ましい。
【００３０】
透明板３０が樹脂で形成される場合、光透過性を有する樹脂で形成できる。光透過性を有する樹脂としては、例えば、ポリエステル系樹脂、ポリプロピレン系樹脂、セルロース系樹脂、アルクリ系樹脂、ポリカーボネート系樹脂、ポリエチレン系樹脂、および塩化ビニリデン樹脂などが使用される。
【００３１】
［連結部］
図３において、連結部４０は、側壁部２０に形成され、他の面形成ブロック１０と連結可能に構成されている。図５に、図４のII−II断面図を示す。図５に示すように、本実施形態では、連結部４０は、側壁部２０の外周面２０ｂの４つの面のうちの２つの面に設けられる凸部４０１Ａと、残りの２つの面に設けられる凹部４０２Ａとで構成されている。凸部４０１Ａと凹部４０２Ａとは、空間Ｓを挟んで向き合う、側壁部２０の外周面２０ｂにそれぞれ形成されている。
【００３２】
図６に、面形成ブロック１０を他の面形成ブロック１０と嵌合させる状態の一例の平面図を示す。図６に示すように、一方の第１の面形成ブロック１０の側壁部２０に設けられる凸部４０１Ａは、他の第２の面形成ブロック１０の側壁部２０に設けられる凹部４０２Ｂと嵌合する。そして、一方の第１の面形成ブロック１０の凹部４０２Ｂは、他の第３の面形成ブロック１０の凸部４０１Ｂと嵌合する。これにより、面形成ブロック１０は、他の第２の面形成ブロック１０および第３の面形成ブロック１０と連結部４０で連結される。
【００３３】
（端子部）
図３において、端子部５０は、側壁部２０の外周面２０ｂの四つの面の端付近に、それぞれ、設けられている。端子部５０は、基台５０１と、基台５０１に対して直交する方向に延びる端子５０２とで構成されている。端子部５０は、側壁部２０の内部に設けられるデバイスと導線５１（図５参照）で接続される。また、図５に示すように、それぞれの端子部５０同士は、導線５１で接続されている。面形成ブロック１０の端子部５０は、他の面形成ブロック１０の端子部５０と接触できる位置に設けられており、面形成ブロック１０を他の面形成ブロック１０と連結部４０で連結させる際には、端子部５０は、他の面形成ブロック１０の端子部５０と接触して電気的に接続できる。導線５１を形成する材料としては、金属など導電性部材を用いることができる。
【００３４】
図５に示すように、側壁部２０の内部には、弾性部材としてばね５２が設けられている。ばね５２は、側壁部２０に対して略垂直方向に伸縮可能であり、端子部５０の基台５０１の背面を押圧している。これにより、面形成ブロック１０が他の面形成ブロック１０と連結されていない場合には、端子部５０は、端子５０２の先端５０２ａが側壁部２０の外周面２０ｂから露出した状態で側壁部２０に設けられている。面形成ブロック１０を他の面形成ブロック１０と連結部４０で連結する場合、面形成ブロック１０の端子部５０の先端５０２ａは、他の面形成ブロック１０の端子５０２の先端５０２ａと接触して接続された状態を維持しながら、ばね５２の押圧に抗して、側壁部２０の内側に引っ込む。このように、端子部５０の先端５０２ａは、他の面形成ブロック１０の端子５０２の先端５０２ａと接触して接続する構造であるため、例えば、半田付けで接続させたり、リード線を用いて接続したりする場合に比べて、簡単な構造で繰り返し使用できる。このため、面形成ブロック１０の組み合わせ位置や個数を頻繁に変更する場合でも、面形成ブロック１０は繰り返し使用可能となる。
【００３５】
本実施形態では、図３に示すように、一つの側壁部２０に、４つの端子部５０を一組として、４つの端子部５０が、図５に示すような側壁部２０の４つの外周面２０ｂに、それぞれ設けられている。なお、一つの側壁部２０に、４つの端子部５０が上下二列で配置されているが、４つの端子部５０の配置は、側壁部２０の大きさなどに応じて設計可能である。また、４つの端子部５０を一組としているが、外周面２０ｂの１つの面に設けられる端子部５０の数は、１〜３つでもよいし、５つ以上でもよい。
【００３６】
端子部５０を形成する材料としては、Ａｕ、Ａｇ、Ｃｕ、ＡｌまたはＰｔなどの金属を用いることができる。
【００３７】
［制御装置］
図５において、制御装置６０は、側壁部２０の内部に設けられている。制御装置６０は、デバイスおよび端子部５０と制御可能に接続されている。制御装置６０は、デバイスおよび端子部５０と導線５１で接続されている。制御装置６０は、端子部５０を通して外部と接続される。制御装置６０には、端子部５０を通して、外部からデバイスの運転制御、面形成ブロック１０の位置情報などの制御情報が送られる。位置情報には、面形成ブロック１０が複数組み合わされて面構造を形成している場合には、前記面構造内における面形成ブロック１０の相対的な位置情報が含まれる。制御装置６０は、外部から送られる制御情報に基づいて、デバイスの運転を電子制御する。なお、制御装置６０は、デバイスおよび外部と無線通信やインターネットなどのネットワークで接続されてもよい。
【００３８】
図７に、制御装置６０の構成要素を機能ブロックで示す。図７に示すように、制御装置６０は、デバイス制御部６１、デバイス制御部６１に接続されている制御情報記憶部６２および操作部６３を有する。
【００３９】
デバイス制御部６１は、デバイスの運転制御、面形成ブロック１０の位置情報などに関する制御情報に基づき、デバイスが機能を発揮できるように制御する。前記機能は、デバイスの種類に応じて異なる。デバイスの機能の詳細については後述する。
【００４０】
デバイス制御部６１は、制御プログラムや各種記憶情報を格納する記憶手段と、制御プログラムに基づいて動作する演算手段とを有する。デバイス制御部６１は、演算手段が記憶手段に格納されている制御プログラムなどを読み出して実行することでデバイスの運転が実現される。記憶手段には、ＲＡＭ、ＲＯＭ、ストレージなどがある。演算手段には、ＣＰＵなどがある。
【００４１】
制御情報記憶部６２は、制御情報６２Ａを記憶している。制御情報６２Ａは、例えば、デバイスの運転制御、面形成ブロック１０の位置情報などに関する制御情報である。
【００４２】
操作部６３は、外部からの操作により、制御情報記憶部６２の情報を変更するための信号を制御情報記憶部６２に送信する機能を有する。
【００４３】
［デバイス］
デバイスは、面形成ブロック１０内に設けられる。デバイスは、導線５１を介して、端子部５０および制御装置６０と接続されており、制御装置６０により制御される。なお、面形成ブロック１０内とは、空間Ｓ内、側壁部２０の内部もしくは内周面、または透明板３０の内周面を含む。なお、デバイスの一部は、面形成ブロック１０の外側に露出していてもよい。
【００４４】
デバイスとしては、電気、温度、またはガスで駆動される調光フィルム、懸濁粒子デバイス（ＳＰＤ；Ｓｕｓｐｅｎｄｅｄ Ｐａｒｔｉｃｌｅ Ｄｅｖｉｃｅ）フィルム、画像表示装置、太陽電池パネル、薄膜電池、人感センサ、圧力センサ、導光板ユニット、エレクトレットフィルムユニット、面照明ユニット、ＰＤＬＣユニット、およびタッチパネルユニットなどが挙げられる。面形成ブロック１０は、デバイスとして、これらのうちの１つまたは２つ以上を備えることができる。
【００４５】
（発揮される機能）
面形成ブロック１０は、上記デバイスを備えることにより、例えば、ブラインド機能、シャッター機能、ディスプレイ機能、光発電機能、蓄電機能、センシング機能、タッチパネル機能、照明機能またはスピーカー機能などの機能を発揮できる。面形成ブロック１０は、２つ以上の異なる種類のデバイスを備えることで、２つ以上の機能を発揮することもできる。面形成ブロック１０が、デバイスにより発揮される機能の一例について以下に説明する。なお、以下に説明する図８〜図１６では、側壁部２０内に設けられる導線の図示は省略するが、デバイスと接続されているものとする。
【００４６】
（ブラインド機能）
図８に示すように、面形成ブロック１０は、デバイスとして、透明板３０の内側の面（内周面）に調光フィルム７０Ａを設けている。調光フィルム７０Ａは、導線５１（図５参照）と接続されている。端子部５０より導線５１を通って、調光フィルム７０Ａに電気を送ることにより、調光フィルム７０Ａの主面の着色状態の濃淡を調整できる。これにより、面形成ブロック１０は、ブラインド機能として発揮できる。
【００４７】
電気、温度、又はガスで駆動される調光フィルム７０Ａのうち、例えば、電気で駆動される調光フィルムであれば、電流のオン/オフで膜中の電気化学反応を制御することにより、フィルムの着色状態を変化させる。
【００４８】
なお、図８では、調光フィルム７０Ａは、透明板３０の内周面に設けているが、透明板３０の外側の面（外周面）に設けてもよい。また、透明板３０が２枚の合わせガラスで構成される場合、調光フィルム７０Ａを透明板３０同士の間に挟んで形成された複層ガラスでもよい。
【００４９】
（シャッター機能）
図９に示すように、面形成ブロック１０は、デバイスとして、透明板３０の内側にＳＰＤフィルム７０Ｂを設けている。ＳＰＤフィルム７０Ｂは、導線５１（図５参照）と接続されている。端子部５０より導線５１を通って、ＳＰＤフィルム７０Ｂに電気を送ることにより、ＳＰＤフィルム７０Ｂの光透過率を調整できる。これにより、面形成ブロック１０は、シャッター機能として発揮できる。
【００５０】
ＳＰＤフィルム７０Ｂは、電圧の印加により配向可能な懸濁粒子を含有するポリマー層を、透明導電膜を内側にコートした２枚の電気絶縁性フィルムで挟み込むようにして構成される。ＳＰＤフィルム７０Ｂの透明導電膜間に電圧を印加することにより、通常はポリマー層中の懸濁粒子が配向する。これにより、ＳＰＤフィルム７０Ｂは、光透過率が高く、透明性が高い状態になる。電流を流さない状態では、ポリマー層中の懸濁粒子が配向することがなく光透過率が低く、透明性が低い状態となる。ＳＰＤフィルム７０Ｂは、透明板３０の主面の大きさに合わせて所望の大きさにして使用する。ＳＰＤフィルム７０Ｂとしては、例えば、ＬＣＦ−１１０３ＤＨＡ（日立化成社製）などの市販品を用いることができる。ＳＰＤフィルム７０Ｂの厚みとしては、特に制限されないが、取り扱い性および入手容易性の観点から０．２〜０．４ｍｍが好ましい。
【００５１】
なお、図９では、ＳＰＤフィルム７０Ｂは、透明板３０の内周面に設けているが、透明板３０の外側の面（外周面）に設けてもよい。また、透明板３０が２枚の合わせガラスで構成される場合、透明板３０とＳＰＤフィルム７０Ｂとにより、ＳＰＤフィルム７０Ｂを透明板３０同士の間に挟んで形成された複層ガラスでもよい。
【００５２】
（ディスプレイ機能）
図１０に示すように、面形成ブロック１０は、デバイスとして、透明板３０の内側に画像表示装置７０Ｃを設けている。画像表示装置７０Ｃは、導線５１（図５参照）と接続されている。端子部５０より導線５１（図５参照）を通って、画像表示装置７０Ｃに電気を送ることにより、画像表示装置７０Ｃに画像が出現する。これにより、面形成ブロック１０は、ディスプレイ機能として発揮できる。
【００５３】
画像表示装置７０Ｃとしては、液晶ディスプレイ、有機ＥＬディスプレイ、プラズマディスプレイ、ミニＬＥＤディスプレイ、マイクロＬＥＤディスプレイ、またはフィールドエミッションディスプレイなどを用いることができる。
【００５４】
なお、図１０では、画像表示装置７０Ｃは、透明板３０の内周面に設けているが、透明板３０の外側の面（外周面）に設けてもよい。また、透明板３０が２枚の合わせガラスで構成される場合、画像表示装置７０Ｃを透明板３０同士の間に挟んで形成された複層ガラスでもよい。
【００５５】
（光発電機能）
図１１に示すように、面形成ブロック１０は、デバイスとして、側壁部２０の内周面２０ａに周状に太陽電池（光電池）パネル７０Ｄを設けている。太陽電池パネル７０Ｄは、導線５１（図５参照）と接続されている。外部からの光が透明板３０を通して太陽電池パネル７０Ｄに照射されることにより、太陽電池パネル７０Ｄに蓄電される。太陽電池パネル７０Ｄは、制御装置６０から導線５１（図５参照）を通って送られる信号を受信することにより、太陽電池パネル７０Ｄに溜められた電気は、導線５１（図５参照）を通って、面形成ブロック１０の内外に供給される。これにより、面形成ブロック１０は、光発電機能として発揮できる。
【００５６】
太陽電池パネル７０Ｄを構成する太陽電池の種類としては、無機系材料を用いた無機系太陽電池、または有機系材料を用いた有機系太陽電池などが挙げられる。無機系太陽電池としては、Ｓｉを用いたＳｉ系、化合物を用いた化合物系などが挙げられる。有機系太陽電池としては、有機顔料を用いた低分子蒸着系、導電性高分子を用いた高分子塗布系、変換型半導体を用いた塗布変換系などの薄膜系、チタニア、有機色素および電解質で構成される色素増感系などが挙げられる。また、太陽電池パネル７０Ｄを構成する太陽電池には、有機無機ハイブリッド太陽電池やペロブスカイト系化合物を用いた太陽電池も含めることができる。
【００５７】
なお、図１１では、太陽電池パネル７０Ｄは、側壁部２０の内周面２０ａに設けているが、太陽電池パネル７０Ｄは、透明板３０の内周面、または外周面の一部に設けてもよい。また、透明板３０が２枚の合わせガラスで構成される場合、太陽電池パネル７０Ｄは透明板３０同士の間に埋め込んでもよい。
【００５８】
（蓄電機能）
図１２に示すように、面形成ブロック１０は、デバイスとして、側壁部２０の内側に薄膜電池７０Ｅを設けている。薄膜電池７０Ｅは、導線５１（図５参照）と接続されている。端子部５０より導線５１（図５参照）を通って、薄膜電池７０Ｅに電気を送ることにより、薄膜電池７０Ｅは蓄電する。これにより、面形成ブロック１０は、蓄電機能として発揮できる。
【００５９】
薄膜電池７０Ｅとしては、例えば、薄膜リチウムイオン電池などが挙げられる。
【００６０】
なお、図１２では、薄膜電池７０Ｅは、側壁部２０の内部に設けているが、側壁部２０の内周面２０ａに設けてもよいし、透明板３０の内周面または外周面の一部に設けてもよい。
【００６１】
（センシング機能）
図１３に示すように、面形成ブロック１０は、デバイスとして、透明板３０の内周面の側壁部２０近くに人感センサ７０Ｆを複数設けている。人感センサ７０Ｆは、導線５１（図５参照）と接続されている。人感センサ７０Ｆで生体の一部（例えば、指や顔など）が認識されることにより、人感センサ７０Ｆから信号が制御装置６０に導線５１（図５参照）を通って送られ、制御装置６０で認識される。これにより、面形成ブロック１０は、指紋認証や画像認識などのセンシング機能を発揮する。
【００６２】
人感センサ７０Ｆとして、例えば、赤外線センサ、または撮像素子で画像認識を行う撮像素子センサなどを用いることができる。
【００６３】
なお、図１３では、人感センサ７０Ｆは、透明板３０の内周面の側壁部２０近くに設けているが、その他の部分に設けてもよい。人感センサ７０Ｆは、透明板３０の内周面に設けているが、透明板３０の外周面に設けてもよいし、側壁部２０の内周面２０ａに設けてもよい。
【００６４】
（タッチパネル機能）
図１４に示すように、面形成ブロック１０は、デバイスとして、透明板３０の内側に圧力センサ７０Ｇを設けている。圧力センサ７０Ｇは、導線５１（図５参照）と接続されている。圧力センサ７０Ｇが透明板３０の外側から押圧されることにより、圧力センサ７０Ｇから信号が制御装置６０に導線５１（図５参照）を通って送られ、制御装置６０で認識される。これにより、面形成ブロック１０は、タッチパネル機能を発揮する。
【００６５】
本実施形態では、タッチパネルの検出方式は、圧力センサ７０Ｇを用いた静電容量方式としているが、静電容量式、抵抗膜方式、光学式、表面弾性波方式（または超音波方式）、赤外線方式、電磁誘導方式、または荷重検出方式などの方式を用いることができる。
【００６６】
なお、図１４では、圧力センサ７０Ｇは、透明板３０の内周面の全面に設けているが、複数に分けて設けてもよい。圧力センサ７０Ｇは、透明板３０の内周面に設けているが、透明板３０の外周面に設けてもよい。
【００６７】
（照明機能）
図１５に示すように、面形成ブロック１０は、デバイスとして、透明板３０の内側および側壁部２０の内側に導光板ユニット７０Ｈを設けている。導光板ユニット７０Ｈは、透明板３０および導線５１（図５参照）に接続されている。
【００６８】
導光板ユニット７０Ｈは、導光板７０１Ｈ、反射部材７０２Ｈ、散乱部材７０３Ｈおよび光源７０４Ｈで構成されている。
【００６９】
導光板７０１Ｈは、側面に配置された光源７０４Ｈからの光を全反射により内部に伝播させると共に面状に出射させる機能を有する。
【００７０】
反射部材７０２Ｈは、その主表面が、導光板７０１Ｈの光反射面と対向するように配置された板状部材である。反射部材７０２Ｈは、導光板７０１Ｈの主として光を出射する光出射面（＋Ｚ軸方向）に対して反対側となる光反射面（−Ｚ軸方向）から出射する光を再び導光板７０１Ｈに戻す機能を有する。
【００７１】
散乱部材７０３Ｈは、導光板７０１Ｈと反射部材７０２Ｈとの間に位置するように、導光板７０１Ｈの光反射面に、ドットパターン状に所定の間隔で形成されている。散乱部材７０３Ｈは、その内部で全反射する光を散乱させて光出射面から出射させると共に、光源が点光源である場合の光出射面における輝度の不均一、また光源からの距離の違いによる光出射面における輝度の不均一等を抑制する機能を有する。
【００７２】
光源７０４Ｈは、側壁部２０内であって導光板ユニット７０Ｈの側面に設けられている。なお、側壁部２０には光照射用窓２０１を設け、光源７０４Ｈからの光が導光板７０１Ｈに照射される。
【００７３】
導光板ユニット７０Ｈは、通電されることにより面発光し、面照明として機能する。これにより、面形成ブロック１０は、照明機能を発揮する。
【００７４】
なお、図１５では、導光板ユニット７０Ｈを構成する、導光板７０１Ｈ、反射部材７０２Ｈおよび散乱部材７０３Ｈは、透明板３０の内周面の全面に設けているが、複数に分けて設けてもよい。
【００７５】
（スピーカー機能）
図１６に示すように、面形成ブロック１０は、デバイスとして、側壁部２０の内部および透明板３０にエレクトレットフィルムユニット７０Ｉを設けている。エレクトレットフィルムユニット７０Ｉは、導線５１（図５参照）と接続されている。
【００７６】
エレクトレットフィルムユニット７０Ｉは、透明板３０の外側に設けられるエレクトレットフィルム７０１Ｉと、エレクトレットフィルム７０１Ｉの両主面に設けられる電極７０２Ｉと、音声情報を電気信号に変換する音声情報処理デバイス７０３Ｉとを備える。
【００７７】
エレクトレットフィルム７０１Ｉは、半永久的に帯電した樹脂フィルムであり、透明板３０の表面に対して貼着できる静電付着力を有する。エレクトレットフィルム７０１Ｉとしては、例えば、ポリテトラフルオロエチレン（ＰＴＦＥ）フィルム、またはテトラフルオロエチレン・ヘキサフルオロプロピレン共重合体（ＦＥＰ）フィルム；多孔質ポリオレフィンフィルム、または多孔質フッ素樹脂系フィルムなどの多孔性樹脂フィルムを用いることができる。これらのフィルムの両面に電極を設けた後、高電圧を印加する方法、フィルム表面に電極を設けず、高電界下で数分間保持する方法、またはフィルムから所定間隔をあけてコロナ放電により荷電させる方法などにより、これらのフィルムにエレクトレット性を付与できる。
【００７８】
電極７０２Ｉは、金属など導電性部材を用いて形成できる。
【００７９】
エレクトレットフィルム７０１Ｉは、電極に電圧を印加すると歪む圧電フィルムとして機能できる。したがって、音声情報処理デバイス７０３Ｉで音声情報を電気信号に変換し、音声情報処理デバイス１Ｊから出力される電気信号を電極７０２Ｉに送ると、透明板３０は、入力された電気信号に基づいて歪む。透明板３０の歪により、空気を振動させることで、エレクトレットフィルム７０１Ｉにスピーカー機能を付与することができる。これにより、面形成ブロック１０は、スピーカーとして機能を発揮する。
【００８０】
なお、図１６では、導光板ユニット７０Ｈは、エレクトレットフィルムユニット７０Ｉを構成する、エレクトレットフィルム７０１Ｉおよび電極７０２Ｉは、透明板３０の内周面の全面に設けているが、一部に複数設けてもよい。エレクトレットフィルム７０１Ｉおよび電極７０２Ｉは、透明板３０の内周面に設けているが、透明板３０の外周面に設けてもよい。
【００８１】
その他のデバイスの例としては、所定の液体を２枚のガラスで挟んだ板に、その板にアクチュエーターなどを接触させ、その板を振動させるスピーカーでもよい。
【００８２】
＜面形成ブロック１０の製造方法＞
次に、図３に示す面形成ブロック１０の製造方法の一例について説明する。側壁部２０の４面に対して、１面ずつ、それぞれの面に設けている溝部２１に一対の透明板３０を嵌めて、接着剤や弾性シールなどの固定部材で固定し、側壁部２０に透明板３０を取り付ける。これにより、面形成ブロック１０が製造される。最後の４面に透明板３０を固定する際、側壁部２０の３面の内側に予め設置してある、制御装置６０およびデバイスに接続されている導線５１を、側壁部２０の残りの１面に予め設置してある導線５１と接続する。
【００８３】
以上のように構成された面形成ブロック１０は、側壁部２０、透明板３０、連結部４０および端子部５０を有し、側壁部２０の内部または透明板３０の内側または外側にデバイスを備えている。そのため、面形成ブロック１０は、他の面形成ブロック１０を連結部４０で連結できる（図１参照）。また、面形成ブロック１０は、端子部５０でデバイスと外部とを電気的に接続できると共に、他の面形成ブロック１０の端子部５０と接触して接続されることで他の面形成ブロック１０と電気的に接続できる。面形成ブロック１０は、連結部４０を介して他の面形成ブロック１０と連結することで、他の面形成ブロック１０と安定して高い強度を有しながら連結できると共に、容易に着脱できる。また、面形成ブロック１０は、端子部５０を介して他の面形成ブロック１０と導通を確保できる。そのため、各面形成ブロック１０ごとに、外部と電気や信号のやり取りのための配線を外側に別途設ける必要がないため、配線により配置の制限などを受けない。さらに、面形成ブロック１０は、他の面形成ブロック１０とは異なる種類のデバイスを備えることで、面形成ブロック１０ごとに様々な機能を発揮できる。
【００８４】
よって、図１に示すように、複数の面形成ブロック１０を組み立てることで、形成される面構造に複数の機能を持たせることができる。また、面形成ブロック１０は、種々の形状の面構造を自由に組み立てることができる。そのため、面形成ブロック１０は、用途に応じて要求される面構造の形状や大きさなどに容易に対応できる。
【００８５】
パーティションや窓ガラスのように一枚のガラス板などの板材で建物などの内装部材や外装部材を構成する場合、内装部材や外装部材などが大型になると、それだけ板材全体で機能を発現させる面積が大きくなる。そのため、板材の位置によって機能の反応速度が異なり、板材全体で均一に機能を発揮させ難くなる可能性がある。これに対し、本実施形態では、面形成ブロック１０を複数組み合わせて内装部材や外装部材を形成した場合でも、それぞれの面形成ブロック１０ごとに機能させるので、全体で均一に機能を発揮させやすい。
【００８６】
一枚のガラス板などの板材で建物などの内装部材や外装部材を構成する場合、設置場所の状況などによって板材の施工サイズなどは異なるため、板材を設置場所に合うサイズに加工したりする必要があり、高コストになりやすい。これに対し、本実施形態では、面形成ブロック１０は、同じサイズの他の面形成ブロック１０を設置場所の状況に合わせて複数組み立てられるので、同じサイズの面形成ブロック１０を製造するだけで済む。そのため、面形成ブロック１０は大量に製造することで、製造コストを抑えることができる。
【００８７】
面形成ブロック１０は、側壁部２０の内部に、デバイスと、デバイスと端子部５０とを連結する導線５１（図５参照）とを収容している。そのため、側壁部２０が光透過性を有しない場合には、面形成ブロック１０は、外部からデバイスおよび導線５１が見えないようにでき、面形成ブロック１０の意匠性を維持できる。
【００８８】
本実施形態では、面形成ブロック１０は、側壁部２０に形成される連結部４０を、凸部４０１Ａおよび凹部４０２Ａで構成し、面形成ブロック１０の凸部４０１Ａを、他の面形成ブロック１０の凹部４０２Ｂと嵌合させている。これにより、複数の面形成ブロック１０は、より簡単に着脱させることができる。
【００８９】
本実施形態では、面形成ブロック１０は、側壁部２０の内部に設けたばね５２で端子部５０の基台５０１の背面を押圧している。複数の面形成ブロック１０が組み合わされる前は、端子５０２の先端５０２ａは、側壁部２０の外周面２０ｂから露出している。面形成ブロック１０の凸部４０１Ａを、他の面形成ブロック１０の凹部４０２Ｂと嵌合させると、端子５０２の先端５０２ａは、他の面形成ブロック１０の端子５０２の先端５０２ａと接触した状態を維持しながら、側壁部２０の内側に引っ込む。よって、複数の面形成ブロック１０の組立ておよび解体を繰り返しても、面形成ブロック１０の端子部５０は、他の面形成ブロック１０の端子５０２と繰り返し連続して接続させることができる。
【００９０】
本実施形態では、面形成ブロック１０は、側壁部２０の内部に設けた導線５１で、側壁部２０内の複数の端子部５０を接続しているため、側壁部２０内の複数の端子部５０同士で導通を確保できる。
【００９１】
本実施形態では、面形成ブロック１０は、側壁部２０の内部に制御装置６０を備えているので、複数の面形成ブロック１０を組み合わせても、それぞれの面形成ブロック１０ごとに面形成ブロック１０の機能を制御できる。
【００９２】
（変形例）
【００９３】
以下に、面形成ブロック１０の他の形態について説明する。
【００９４】
本実施形態では、側壁部２０は、平面視において矩形の枠状に形成されているが、矩形状に限定されず、面形成ブロック１０に応じて適宜変更してもよい。例えば、図１７〜図２０に示すように、側壁部２０は、平面視において、ひし形、三角形、五角形、または八角形の枠状などでもよい。この場合、透明板３０の平面視での形状は、矩形に限定されず、側壁部２０の平面視での形状に合わせて変更可能である。
【００９５】
本実施形態では、側壁部２０を形成する材料として、プラスチックで形成されているが、ステンレスやアルミニウムなどの金属材料を用いてよい。この場合、図２１に示すように、側壁部２０と端子部５０との間に、絶縁層２２を設けて、側壁部２０と端子部５０とが接触して通電されないようにする。
【００９６】
本実施形態では、透明板３０は、側壁部２０の溝部２１に嵌め込まれているため、透明板３０と側壁部２０との高さが異なるが、それぞれの面形成ブロック１０の透明板３０の主面同士が同じ位置であればよい。例えば、図２２に示すように、側壁部２０の上下両面の内側に内周に沿って透明板３０が設置される切欠き部２３を形成し、透明板３０の外側の主面が、側壁部２０のＺ軸方向の端面と同じの位置にして、同一平面となるようにしてもよい。
【００９７】
本実施形態では、透明板３０は、両主面を平らな板としているが、これに限定されず、図２３および図２４に示すように、透明板３０は、側壁部２０の上下両面に対して直交する方向から見た時に凸状または凹状に湾曲していてもよい。また、図２５に示すように、透明板３０は、側壁部２０の上下両面に対して直交する方向から見た時に、略Ｕ字型となるように形成されていてもよい。この場合、透明板３０の主面の両端に形成される、透明板３０の主面に対して直交する方向に伸びた延設部３３が側壁部２０の上下両面に設置する。
【００９８】
本実施形態では、連結部４０を凸部４０１Ａおよび４０１Ｂで形成し、凹部４０２Ａ、４０２Ｂが、他の面形成ブロックの側壁部２０に形成される凸部４０１Ａおよび４０１Ｂと嵌合して連結させているが、着脱可能に連結できれば、これに限定されない。例えば、連結部４０は、磁石でもよい。
【００９９】
また、連結部４０は、図２６に示すように、面形成ブロック１０の一方方向に沿ってスライド可能なスライド機構を有していてもよい。面形成ブロック１０の側壁部２０に設けられる連結部４０のスライド部４０１Ｃを、他の面形成ブロック１０の側壁部２０に設けられる連結部４０のガイド部４０２Ｃの一方方向（Ｘ軸方向）に沿ってスライドさせる。これにより、面形成ブロック１０と他の面形成ブロック１０とを容易に着脱できる。なお、図２６では、スライド機構は、面形成ブロック１０の側壁部２０に設けられる連結部４０を、他の面形成ブロック１０の側壁部２０に設けられる連結部４０のＸ軸方向に沿ってスライド可能に構成されているが、これに限定されない。例えば、図２７に示すように、面形成ブロック１０の側壁部２０に設けられる連結部４０のスライド部４０１Ｄは、他の面形成ブロック１０の側壁部２０に設けられる連結部４０のガイド部４０２ＤのＺ軸方向に沿ってスライド可能にスライド機構が構成されていてもよい。
【０１００】
本実施形態では、端子部５０を外側に向かって押圧する弾性部材として、ばね５２を用いているが、これに限定されない。端子部５０を外側に向かって押圧しつつ、面形成ブロック１０が他の面形成ブロック１０と連結される際には、端子部５０が側壁部２０の内側に引っ込むことができる部材や構成であればよい。
【０１０１】
本実施形態では、側壁部２０の内部に、デバイスと端子部５０とを導線５１により連結しているが、導電性があればよく、例えば、導線５１に代えて、側壁部２０の内部に透明導電膜を形成してもよい。透明導電膜は、例えば、Ａｕ、Ａｇ、Ｚｎ、Ｔｉ、またはＰｄなどの金属、またはＴｉＮなどの窒化物などで形成された金属層と、ＺｎＯ、ＳｎＯ、またはＴｉＯ2などの金属酸化物、またはＳｉ３Ｎ４などの窒化物などで形成された誘電体層とを、それぞれ、１層以上積層して構成されたものを用いることができる。透明導電膜は、印刷など膜の形成方法により、側壁部２０の内部に形成できる。
【０１０２】
本実施形態では、制御装置６０は、側壁部２０の内部に設けられているが、側壁部２０の外側に設け、外部からデバイスを制御するようにしてもよい。
【０１０３】
本実施形態では、操作部６３は、外部と有線通信で操作部６３を制御可能に接続されているが、無線通信やネットワークで操作部６３を制御可能に接続されていてもよい。これにより、面形成ブロック１０の機能を制御する際の作業がより簡単になり、適用場所が広げられる。
【０１０４】
＜面構造＞
複数の面形成ブロック１０は、連結部４０を介して連結すると、複数の面形成ブロック１０の透明板３０が略同一平面となるように面状に敷設される。これにより、図２８に示すように、少なくとも一つの面を有する面構造８０が形成される。
【０１０５】
なお、面構造８０には、その端部に位置する面形成ブロック１０に外部電源と接続されたアダプター８１が設けられている。これにより、面構造８０は、アダプター８１を介して外部から給電できる。なお、アダプター８１が不要の場合には、設けなくてもよい。
【０１０６】
面構造８０には、建物や制御装置の配線に接続される電線８２が設けられている。電線８２としては、例えば、ＡＶ線や同軸ケーブルなどを用いることができる。電線８２は、面構造８０を構成する複数の面形成ブロック１０と、外部の制御装置との間で、制御信号の送受信を行うことができる。面構造８０を構成する複数の面形成ブロック１０は、電線８２を介して送られる制御信号に基づいて制御される。なお、電線８２は、建物の室内などの天井や壁面に伸ばして、室内からも視認できないように配設されることが好ましい。また、面構造８０を構成する面形成ブロック１０内に設けられている制御装置６０の操作部６３を外部から無線通信やネットワークで制御できる場合には、電線８２が不要の場合には、設けなくてもよい。
【０１０７】
面構造８０は、電線８２を介して送られる制御信号に基づいて、全ての面形成ブロック１０に対して同じ制御を行ってもよいし、それぞれの面形成ブロック１０に対して異なる制御を行ってもよい。
【０１０８】
面構造８０は、複数の面形成ブロック１０を組合せることで容易に形成できるので、面構造８０は、既存または新規の建物（例えば、家、ビル）などの内装材や外装材、または屋内や屋外などに設置される、面を有する構造物として有効に用いることができる。
【０１０９】
面構造８０は、複数の面形成ブロック１０ごとに機能を発揮させているので、一つの部材（例えば、パーティションや窓ガラスなど）で形成された面構造に機能を発揮させる場合に比べて、全体で均一に機能を発揮させやすい。例えば、面形成ブロック１０が調光機能を有する場合、調色の切り替え速度は安定し、変色時の均一性を高める。そのため、面構造８０が大型化しても、より安定して均一に機能を発揮させ易い。
【０１１０】
面構造８０は、複数の面形成ブロック１０ごとに機能を発揮させているので、機能を発揮させる面形成ブロック１０を選択できる。例えば、面形成ブロック１０が調光機能を有する場合、一部の面形成ブロック１０のみを着色させること、市松模様など様々な表現をすること、または面構造８０の面に形成される模様を動的に表現することなどができる。
【０１１１】
面構造８０は、複数の面形成ブロック１０を組み合わせて形成されるため、それぞれの面形成ブロック１０に含まれるデバイスの機能を変更できる。面構造８０は、機能が異なるデバイスを備える面形成ブロック１０を用いて形成することで、複数の機能を発揮できるため、面構造８０は、その一面で様々な演出を行うことができると共に、優れた意匠性を発揮できる。よって、面構造８０は、使用者の好みに合わせて複数の機能を有するように組み合わせて使用できる。
【０１１２】
面構造８０は、それぞれの面形成ブロック１０に、面構造８０における相対的な位置情報を制御装置６０の制御情報記憶部６２に記憶させておく。これにより、それぞれの面形成ブロック１０は、面構造８０における相対的な位置を認識できることになる。この結果、面構造８０は、電線８２または無線通信やネットワークで送られる制御信号に基づいて、それぞれの面形成ブロック１０に対して異なる制御を行うことができる。
【０１１３】
面構造８０は、組み立て、解体、形状の変更が簡単にできる。例えば、面構造８０を構成する面形成ブロック１０の一部が破損して交換が必要な場合、面構造８０の形状の変更が必要な場合、面形成ブロック１０の機能を一部変更することが必要な場合などが生じたとする。このような場合でも、面構造８０は、その組み立て、解体、もしくは形状の変更、または面形成ブロック１０の一部の交換などを容易に短時間でできる。
【０１１４】
（変形例）
なお、本実施形態では、面構造８０は、全て面形成ブロック１０で形成されているが、これに限定されない。例えば、図２９に示すように、面構造８０は、ダミーブロック（導通ブロック）９０を含んで形成されてもよい。なお、導通ブロック９０の外観は面形成ブロック１０と変わらないため、導通ブロック９０と面形成ブロック１０との違いを出すため、図２９では、導通ブロック９０にハッチングを付けて示す。
【０１１５】
導通ブロック９０は、面形成ブロック１０がデバイスを備えていないブロックである。導通ブロック９０は、側壁部２０、一対の透明板３０、連結部４０および複数の端子部５０で構成されている。複数の端子部５０は、導線５１で接続されている。そのため、端子部５０同士では導線５１を介して通電可能であり、一方の端子部５０に送られた電気は、他方の端子部５０に電気を通すことができる。導通ブロック９０を構成する各部材は、上記の面形成ブロック１０と同様であるため、説明は省略する。面構造８０が導通ブロック９０を含んで形成される場合、面構造８０は、面形成ブロック１０を２つ以上有し、導通ブロック９０を１つ以上有する。
【０１１６】
本実施形態では、面構造８０は、複数の面形成ブロック１０で形成される面の主面側から見た時、同じ形状や大きさの面形成ブロック１０で組み合わされているが、例えば、図３０に示すように、異なる形状や大きさの面形成ブロック１０で組み合わせてもよい。
【０１１７】
（適用例）
【０１１８】
面構造８０は、上記の通り、複数の面形成ブロック１０を組み合わせることで形成されるので、様々な面構造に適用できる。面構造８０の適用例を以下に説明する。
【０１１９】
面構造８０は、図３１に示すように、面形成ブロック１０を複数組み立てて形成されたパーティション８０Ａとして用いることができる。パーティション８０Ａは、例えば、オフィス、建物のエントランス、または家の居間もしくは寝室などにおいて、ブラインド、シャッター、またはディスプレイなどとして用いることができる。
【０１２０】
面構造８０は、図３２に示すように、面形成ブロック１０を複数組み立てて形成された、テーブル８０Ｂのテーブル板８０１Ｂとして用いることができる。テーブル板８０１Ｂは、例えば、オフィス、店舗、または家などにおいて、使用されるテーブルまたはカウンターなどでディスプレイ、照明、またはスピーカーなどしても使用できる。
【０１２１】
面構造８０は、図３３に示すように、面形成ブロック１０を複数組み立てて形成された、ドア８０Ｃの一部８０１Ｃとして用いることができる。ドア８０Ｃは、例えば、家、オフィスもしくは店舗などの玄関、またはビルのエントランスなどにおいて使用されるドアなどに、ブラインド、シャッター、ディスプレイ、照明、スピーカー、センシング、またはタッチパネルなどとして使用できる。
【０１２２】
面構造８０は、図３４に示すように、面形成ブロック１０を複数組み立てて形成されたガラスブロック８０Ｆとして、建物の内壁または外壁に使用できる。ガラスブロック８０Ｆは、例えば、家、オフィスもしくは店舗などにおいて使用される、パーティション、ディスプレイ、照明、またはスピーカーなどとして使用できる。
【０１２３】
面構造８０は、面形成ブロック１０を複数組み立てて形成された、天窓として用いることができる。この場合、天窓は、例えば、家、オフィスもしくは店舗などにおいて使用される、ディスプレイ、照明、またはスピーカーなどとして使用できる。
【０１２４】
前記した種々のデバイスを有する面形成ブロックおよび面構造は、スマートフォン（スマホ）などの端末装置でのコントロール、色々なパターンの遠隔操作、人工知能（ＡＩ）が人の気持ちに合わせた最適なパターンの提供、種々の機能のバージョンアップなどを可能にすることができる。
【０１２５】
以上の通り、実施形態を説明したが、上記実施形態は、例として提示したものであり、上記実施形態により本発明が限定されるものではない。上記実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれると共に、特許請求の範囲に記載された発明とその均等の範囲に含まれる。
【符号の説明】
【０１２６】
１０  面形成ブロック
２０  側壁部
３０  透明板
４０  連結部
５０  端子部
６０  制御装置
７０Ａ〜７０Ｉ  各種デバイス
Ｓ  空間
【図１】
2019148072.tif 000003
【図２】
2019148072.tif 000004
【図３】
2019148072.tif 000005
【図４】
2019148072.tif 000006
【図５】
2019148072.tif 000007
【図６】
2019148072.tif 000008
【図７】
2019148072.tif 000009
【図８】
2019148072.tif 000010
【図９】
2019148072.tif 000011
【図１０】
2019148072.tif 000012
【図１１】
2019148072.tif 000013
【図１２】
2019148072.tif 000014
【図１３】
2019148072.tif 000015
【図１４】
2019148072.tif 000016
【図１５】
2019148072.tif 000017
【図１６】
2019148072.tif 000018
【図１７】
2019148072.tif 000019
【図１８】
2019148072.tif 000020
【図１９】
2019148072.tif 000021
【図２０】
2019148072.tif 000022
【図２１】
2019148072.tif 000023
【図２２】
2019148072.tif 000024
【図２３】
2019148072.tif 000025
【図２４】
2019148072.tif 000026
【図２５】
2019148072.tif 000027
【図２６】
2019148072.tif 000028
【図２７】
2019148072.tif 000029
【図２８】
2019148072.tif 000030
【図２９】
2019148072.tif 000031
【図３０】
2019148072.tif 000032
【図３１】
2019148072.tif 000033
【図３２】
2019148072.tif 000034
【図３３】
2019148072.tif 000035
【図３４】
2019148072.tif 000036